(57)【要約】    【課題】比較的低コストで映像を短時間で切り換え表示することができる映像表示装置及び方法を提供する。    【解決手段】制御データ生成手段によって生成された信号処理制御データを操作手段によって指定された入力端子との対応関係を付けて保存し、操作手段による指定入力端子が他の入力端子に切り換えられたとき切換後の入力端子に対応する信号処理制御データを読み出して出力する制御データ保存手段を備え、制御データ生成手段によって信号処理制御データが生成されたときその信号処理制御データに応じて信号処理動作を実行し、制御データ保存手段から信号処理制御データが出力されたときその信号処理制御データに応じて信号処理動作を実行する。【選択図】図１
2007248589.tif 000002
【特許請求の範囲】
【請求項１】
各々が映像信号を受け入れるための複数の入力端子のいずれか１の入力端子を操作に応じて指定する操作手段と、
前記操作手段によって指定された入力端子に供給された映像信号を選択的に出力する選択手段と、
前記選択手段によって選択出力された映像信号の信号形式を判別する判別手段と、
前記判別手段によって判別された信号形式の映像信号用の信号処理制御データを生成する制御データ生成手段と、
前記選択手段によって選択出力された映像信号を前記信号処理制御データに応じて信号処理動作を実行してその信号処理結果の映像信号を表示部に出力する信号処理手段と、
前記制御データ生成手段によって生成された信号処理制御データを前記操作手段によって指定された入力端子との対応関係を付けて保存し、前記操作手段による指定入力端子が他の入力端子に切り換えられたとき切換後の入力端子に対応する信号処理制御データを読み出して出力する制御データ保存手段と、を備え、
前記信号処理手段は、前記制御データ生成手段によって信号処理制御データが生成されたときその信号処理制御データに応じて前記信号処理動作を実行し、前記制御データ保存手段から信号処理制御データが出力されたときその信号処理制御データに応じて前記信号処理動作を実行することを特徴とする映像表示装置。
【請求項２】
前記判別手段によって判別された信号形式を前記操作手段によって指定された入力端子との対応関係を付けて信号形式データとして保存し、前記操作手段による指定入力端子が他の入力端子に切り換えられたとき切換後の入力端子に対応する信号形式データを読み出して出力する信号形式データ保存手段を備え、
前記判別手段は、前記選択手段によって選択出力された映像信号の信号形式と前記信号形式データ保存手段から出力された信号形式データが示す信号形式とを比較する比較手段を含み、
前記制御データ生成手段は、前記比較手段による比較結果が一致しないときに前記判別手段によって判別された信号形式の映像信号用の信号処理制御データを生成することを特徴とする請求項１記載の映像表示装置。
【請求項３】
前記制御データ生成手段によって制御データが生成されたときその制御データを前記信号処理手段に転送し、前記制御データ保存手段から制御データが出力されたときその制御データを前記信号処理手段に転送する制御データ転送手段、を備えたことを特徴とする請求項１記載の映像表示装置。
【請求項４】
各々が映像信号を受け入れるための複数の入力端子のいずれか１の入力端子を操作に応じて指定する操作手段と、
前記操作手段によって指定された入力端子に供給された映像信号を選択的に出力する選択手段と、
前記選択手段によって選択出力された映像信号の信号形式を判別する判別手段と、
前記判別手段によって判別された信号形式を前記操作手段によって指定された入力端子との対応関係を付けて信号形式データとして保存し、前記操作手段による指定入力端子が他の入力端子に切り換えられたとき切換後の入力端子に対応する信号形式データを読み出して出力する信号形式データ保存手段と、
前記信号形式データ保存手段から出力された信号形式データが示す信号形式の映像信号用の信号処理制御データを生成する制御データ生成手段と、
前記選択手段によって選択出力された映像信号を前記制御データに応じて信号処理動作を実行してその信号処理結果の映像信号を表示部に出力する信号処理手段と、を備えたことを特徴とする映像表示装置。
【請求項５】
前記判別手段は、前記選択手段によって選択出力された映像信号の信号形式と前記信号形式データ保存手段から出力された信号形式データが示す信号形式とを比較する比較手段を含み、
前記制御データ生成手段は、前記比較手段による比較結果が一致しないときに前記判別手段によって判別された信号形式の映像信号用の信号処理制御データを生成することを特徴とする請求項４記載の映像表示装置。
【請求項６】
前記制御データ生成手段によって制御データが生成されたときその制御データを前記信号処理手段に転送する制御データ転送手段、を備えたことを特徴とする請求項４記載の映像表示装置。
【請求項７】
入力端子に入力された映像信号の信号形式を判別する判別手段と、
前記判別手段によって判別された信号形式の映像信号用の信号処理制御データを生成する制御データ生成手段と、
前記映像信号を前記信号処理制御データに応じて信号処理動作を実行してその信号処理結果の映像信号を表示部に出力する信号処理手段と、
前記制御データ生成手段によって生成された信号処理制御データを保存する制御データ保存手段と、を備え、
前記信号処理手段は、電源投入に応じて前記信号処理制御データを前記制御データ保存手段から読み出し、前記信号処理制御データに応じて前記信号処理動作を実行することを特徴とする映像表示装置。
【請求項８】
入力端子に入力された映像信号の信号形式を判別する判別手段と、
前記判別手段によって判別された信号形式を信号形式データとして保存する信号形式データ保存手段と、
前記判別手段によって判別された信号形式の映像信号用の信号処理制御データを生成する制御データ生成手段と、
前記映像信号を前記信号処理制御データに応じて信号処理動作を実行してその信号処理結果の映像信号を表示部に出力する信号処理手段と、を備え、
前記制御データ生成手段は、電源投入に応じて前記信号形式データ保存手段から前記信号形式データを読み出し、その読み出した信号形式データが示す信号形式の映像信号用の信号処理制御データを生成し、前記信号処理手段は、前記信号処理制御データに応じて前記信号処理動作を実行することを特徴とする映像表示装置。
【請求項９】
各々が映像信号を受け入れるための複数の入力端子のいずれか１の入力端子を操作に応じて指定する操作ステップと、
前記操作ステップにおいて指定された入力端子に供給された映像信号を選択的に出力する選択ステップと、
前記選択ステップにおいて選択出力された映像信号の信号形式を判別する判別ステップと、
前記判別ステップにおいて判別された信号形式の映像信号用の信号処理制御データを生成する制御データ生成ステップと、
前記選択ステップにおいて選択出力された映像信号を前記信号処理制御データに応じて信号処理動作を実行してその信号処理結果の映像信号を表示部に出力する信号処理ステップと、
前記制御データ生成ステップにおいて生成された信号処理制御データを前記操作ステップにおいて指定された入力端子との対応関係を付けて制御データ保存手段に保存し、前記操作ステップによる指定入力端子が他の入力端子に切り換えられたとき切換後の入力端子に対応する信号処理制御データを前記制御データ保存手段から読み出して出力する制御データ保存ステップと、を備え、
前記信号処理ステップでは、前記制御データ生成ステップにおいて信号処理制御データが生成されたときその信号処理制御データに応じて前記信号処理動作が実行され、前記制御データ保存ステップにおいて信号処理制御データが出力されたときその信号処理制御データに応じて前記信号処理動作が実行されることを特徴とする映像表示方法。
【請求項１０】
各々が映像信号を受け入れるための複数の入力端子のいずれか１の入力端子を操作に応じて指定する操作ステップと、
前記操作ステップにおいて指定された入力端子に供給された映像信号を選択的に出力する選択ステップと、
前記選択ステップにおいて選択出力された映像信号の信号形式を判別する判別ステップと、
前記判別ステップにおいて判別された信号形式を前記操作ステップにおいて指定された入力端子との対応関係を付けて信号形式データとして信号形式データ保存手段に保存し、前記操作ステップによる指定入力端子が他の入力端子に切り換えられたとき切換後の入力端子に対応する信号形式データを前記信号形式データ保存手段から読み出して出力する信号形式データ保存ステップと、
前記信号形式データ保存ステップにて出力された信号形式データが示す信号形式の映像信号用の信号処理制御データを生成する制御データ生成ステップと、
前記選択ステップにおいて選択出力された映像信号を前記制御データに応じて信号処理動作を実行してその信号処理結果の映像信号を表示部に出力する信号処理ステップと、を備えたことを特徴とする映像表示方法。
【請求項１１】
入力端子に入力された映像信号の信号形式を判別する判別ステップと、
前記判別ステップにおいて判別された信号形式の映像信号用の信号処理制御データを生成する制御データ生成ステップと、
前記映像信号を前記信号処理制御データに応じて信号処理動作を実行してその信号処理結果の映像信号を表示部に出力する信号処理ステップと、
前記制御データ生成ステップにおいて生成された信号処理制御データを制御データ保持手段に保存する制御データ保存ステップと、を備え、
前記信号処理ステップは、電源投入に応じて前記信号処理制御データを前記制御データ保存手段から読み出し、前記信号処理制御データに応じて前記信号処理動作を実行することを特徴とする映像表示方法。
【請求項１２】
入力端子に入力された映像信号の信号形式を判別する判別ステップと、
前記判別ステップにおいて判別された信号形式を信号形式データとして信号形式データ保持手段に保存する信号形式データ保存ステップと、
前記判別ステップにおいて判別された信号形式の映像信号用の信号処理制御データを生成する制御データ生成ステップと、
前記映像信号を前記信号処理制御データに応じて信号処理動作を実行してその信号処理結果の映像信号を表示部に出力する信号処理ステップと、を備え、
前記制御データ生成ステップは、電源投入に応じて前記信号形式データ保存手段から前記信号形式データを読み出し、その読み出した信号形式データが示す信号形式の映像信号用の信号処理制御データを生成し、前記信号処理ステップは、前記信号処理制御データに応じて前記信号処理動作を実行することを特徴とする映像表示方法。
【発明の詳細な説明】
【技術分野】
【０００１】
本発明は、複数の入力映像信号のうちのいずれか１の映像信号を選択し、その選択映像信号に対してその信号形式に適合した信号処理を施して信号処理後の映像信号に応じた映像を表示部に表示する映像表示装置に関する。
【背景技術】
【０００２】
テレビジョン受像機等の映像表示装置においては、信号形式が異なる或いは同一信号形式の複数の映像信号を受け入れるために複数の入力端子が備えられており、ユーザが操作部のボタン操作することにより複数の入力端子のうちの１の入力端子が指定され、その１の入力端子に供給された映像信号が選択的に入力され、その入力映像信号に対してその信号形式に対応した信号処理が行われる。信号処理としてはフォーマット変換及び画質調整が主に行われ、それらの処理は入力映像信号の信号形式毎に異なっている。よって、映像表示装置においては、操作部において入力端子が指定されると、その指定入力端子を介して入力された映像信号の信号形式が判別され、その判別結果に応じて信号処理制御データが作成され、信号処理制御データに応じて信号処理動作が実行される（特許文献１参照）。
【０００３】
従って、新たな映像信号が入力されてからその映像信号による映像が表示部に表示されるまでに装置内の動作にかなりの時間が必要となるため、入力映像信号を切り換えるためにユーザが操作部に対して切換操作を行っても直ちに切換後の入力映像信号による映像が表示されない。
【０００４】
これに対処するために、特許文献２には、入力された映像信号の信号形式の判別時間の短縮を図った装置が示されている。この装置では、各映像信号の信号形式の特徴データを登録しておき、特徴データが異なる点を抽出して判別条件とし、以降入力した映像信号についてこの判別条件を用いて信号形式を判別することが行われる。
【０００５】
また、特許文献３には、異なる映像信号が入力される２系統の信号処理の回路と、２系統の映像信号の信号処理後の映像信号を合成切り替えする画像合成切替部とを備え、画像合成切換部を制御することにより、映像切換を高速で行う装置が示されている。
【特許文献１】特開平８−１２９３６７号公報
【特許文献２】特開２００４−２４０３６３号公報
【特許文献３】特開２００５−２１５５５７号公報
【発明の開示】
【発明が解決しようとする課題】
【０００６】
しかしながら、特許文献２に示された装置においては、信号形式の判別動作を行うことに代わりはないので、根本的な映像表示切換の際の時間短縮化とはなっていないという欠点があった。
【０００７】
また、特許文献３に示された装置においては、２系統の信号処理回路を設ける必要があるので、コスト高を招くという問題があった。
【０００８】
本発明が解決しようとする課題には、上記の欠点が一例として挙げられ、比較的低コストで映像を短時間で切り換え表示することができる映像表示装置及び方法を提供することが本発明の目的である。
【課題を解決するための手段】
【０００９】
請求項１に係る発明の映像表示装置は、各々が映像信号を受け入れるための複数の入力端子のいずれか１の入力端子を操作に応じて指定する操作手段と、前記操作手段によって指定された入力端子に供給された映像信号を選択的に出力する選択手段と、前記選択手段によって選択出力された映像信号の信号形式を判別する判別手段と、前記判別手段によって判別された信号形式の映像信号用の信号処理制御データを生成する制御データ生成手段と、前記選択手段によって選択出力された映像信号を前記信号処理制御データに応じて信号処理動作を実行してその信号処理結果の映像信号を表示部に出力する信号処理手段と、前記制御データ生成手段によって生成された信号処理制御データを前記操作手段によって指定された入力端子との対応関係を付けて保存し、前記操作手段による指定入力端子が他の入力端子に切り換えられたとき切換後の入力端子に対応する信号処理制御データを読み出して出力する制御データ保存手段と、を備え、前記信号処理手段は、前記制御データ生成手段によって信号処理制御データが生成されたときその信号処理制御データに応じて前記信号処理動作を実行し、前記制御データ保存手段から信号処理制御データが出力されたときその信号処理制御データに応じて前記信号処理動作を実行することを特徴としている。
【００１０】
請求項１に係る発明によれば、操作手段の切換操作が行われた後、直ちに信号処理制御データ保存手段からの信号処理制御データが信号処理手段に転送され、信号処理手段は選択手段から供給される映像信号を信号処理制御データに応じて信号処理することができるので、切換操作後、短時間で映像表示を行うことができる。
【００１１】
請求項４に係る発明の映像表示装置は、各々が映像信号を受け入れるための複数の入力端子のいずれか１の入力端子を操作に応じて指定する操作手段と、前記操作手段によって指定された入力端子に供給された映像信号を選択的に出力する選択手段と、前記選択手段によって選択出力された映像信号の信号形式を判別する判別手段と、前記判別手段によって判別された信号形式を前記操作手段によって指定された入力端子との対応関係を付けて信号形式データとして保存し、前記操作手段による指定入力端子が他の入力端子に切り換えられたとき切換後の入力端子に対応する信号形式データを読み出して出力する信号形式データ保存手段と、前記信号形式データ保存手段から出力された信号形式データが示す信号形式の映像信号用の信号処理制御データを生成する制御データ生成手段と、前記選択手段によって選択出力された映像信号を前記制御データに応じて信号処理動作を実行してその信号処理結果の映像信号を表示部に出力する信号処理手段と、を備えたことを特徴としている。
【００１２】
請求項４に係る発明によれば、操作手段の切換操作が行われた後、直ちに、信号形式データ保存手段からの信号形式データが信号処理制御データ生成手段に供給され、信号処理制御データ生成手段による信号処理制御データ生成動作が開始され、信号処理制御データが信号処理手段に供給されるので、信号処理手段は選択手段から供給される映像信号を信号処理制御データに応じて信号処理することができる。よって、切換操作後、短時間で映像表示を行うことができる。
【００１３】
請求項７に係る発明の映像表示装置は、入力端子に入力された映像信号の信号形式を判別する判別手段と、前記判別手段によって判別された信号形式の映像信号用の信号処理制御データを生成する制御データ生成手段と、前記映像信号を前記信号処理制御データに応じて信号処理動作を実行してその信号処理結果の映像信号を表示部に出力する信号処理手段と、前記制御データ生成手段によって生成された信号処理制御データを保存する制御データ保存手段と、を備え、前記信号処理手段は、電源投入に応じて前記信号処理制御データを前記制御データ保存手段から読み出し、前記信号処理制御データに応じて前記信号処理動作を実行することを特徴としている。
【００１４】
請求項７に係る発明によれば、電源投入時に信号処理制御データが制御保存手段から読み出されるので、信号処理手段では入力映像信号を信号処理制御データに応じて直ちに信号処理することができる。よって、映像信号の入力後、短時間で映像表示を行うことができる。
【００１５】
請求項８に係る発明の映像表示装置は、入力端子に入力された映像信号の信号形式を判別する判別手段と、前記判別手段によって判別された信号形式を信号形式データとして保存する信号形式データ保存手段と、前記判別手段によって判別された信号形式の映像信号用の信号処理制御データを生成する制御データ生成手段と、前記映像信号を前記信号処理制御データに応じて信号処理動作を実行してその信号処理結果の映像信号を表示部に出力する信号処理手段と、を備え、前記制御データ生成手段は、電源投入に応じて前記信号形式データ保存手段から前記信号形式データを読み出し、その読み出した信号形式データが示す信号形式の映像信号用の信号処理制御データを生成し、前記信号処理手段は、前記信号処理制御データに応じて前記信号処理動作を実行することを特徴としている。
【００１６】
請求項８に係る発明によれば、電源投入時に信号形式データ保存手段から信号形式データ信号が読み出され、更に、その信号形式データが示す信号形式の映像信号用の信号処理制御データが生成されるので、信号処理手段では入力映像信号を信号処理制御データに応じて直ちに信号処理することができる。よって、映像信号の入力後、短時間で映像表示を行うことができる。
【００１７】
請求項９に係る発明の映像表示方法は、各々が映像信号を受け入れるための複数の入力端子のいずれか１の入力端子を操作に応じて指定する操作ステップと、前記操作ステップにおいて指定された入力端子に供給された映像信号を選択的に出力する選択ステップと、前記選択ステップにおいて選択出力された映像信号の信号形式を判別する判別ステップと、前記判別ステップにおいて判別された信号形式の映像信号用の信号処理制御データを生成する制御データ生成ステップと、前記選択ステップにおいて選択出力された映像信号を前記信号処理制御データに応じて信号処理動作を実行してその信号処理結果の映像信号を表示部に出力する信号処理ステップと、前記制御データ生成ステップにおいて生成された信号処理制御データを前記操作ステップにおいて指定された入力端子との対応関係を付けて制御データ保存手段に保存し、前記操作ステップによる指定入力端子が他の入力端子に切り換えられたとき切換後の入力端子に対応する信号処理制御データを前記制御データ保存手段から読み出して出力する制御データ保存ステップと、を備え、前記信号処理ステップでは、前記制御データ生成ステップにおいて信号処理制御データが生成されたときその信号処理制御データに応じて前記信号処理動作が実行され、前記制御データ保存ステップにおいて信号処理制御データが出力されたときその信号処理制御データに応じて前記信号処理動作が実行されることを特徴としている。
【００１８】
請求項９に係る発明によれば、操作ステップの切換操作が行われた後、直ちに信号処理制御データ保存ステップにおいて信号処理制御データが出力され、信号処理ステップでは選択ステップにおいて選択出力された映像信号を信号処理制御データに応じて信号処理することができるので、切換操作後、短時間で映像表示を行うことができる。
【００１９】
請求項１０に係る発明の映像表示方法は、各々が映像信号を受け入れるための複数の入力端子のいずれか１の入力端子を操作に応じて指定する操作ステップと、前記操作ステップにおいて指定された入力端子に供給された映像信号を選択的に出力する選択ステップと、前記選択ステップにおいて選択出力された映像信号の信号形式を判別する判別ステップと、前記判別ステップにおいて判別された信号形式を前記操作ステップにおいて指定された入力端子との対応関係を付けて信号形式データとして信号形式データ保存手段に保存し、前記操作ステップによる指定入力端子が他の入力端子に切り換えられたとき切換後の入力端子に対応する信号形式データを前記信号形式データ保存手段から読み出して出力する信号形式データ保存ステップと、前記信号形式データ保存ステップにて出力された信号形式データが示す信号形式の映像信号用の信号処理制御データを生成する制御データ生成ステップと、前記選択ステップにおいて選択出力された映像信号を前記制御データに応じて信号処理動作を実行してその信号処理結果の映像信号を表示部に出力する信号処理ステップと、を備えたことを特徴としている。
【００２０】
請求項１０に係る発明によれば、操作ステップの切換操作が行われた後、直ちに、信号形式データ保存ステップにて信号形式データが出力され、信号処理制御データ生成ステップにて信号処理制御データ生成動作が開始され、信号処理制御データが出力されるので、信号処理ステップでは選択ステップにおいて選択出力された映像信号を信号処理制御データに応じて信号処理することができる。よって、切換操作後、短時間で映像表示を行うことができる。
【００２１】
請求項１１に係る発明の映像表示方法は、入力端子に入力された映像信号の信号形式を判別する判別ステップと、前記判別ステップにおいて判別された信号形式の映像信号用の信号処理制御データを生成する制御データ生成ステップと、前記映像信号を前記信号処理制御データに応じて信号処理動作を実行してその信号処理結果の映像信号を表示部に出力する信号処理ステップと、前記制御データ生成ステップにおいて生成された信号処理制御データを制御データ保持手段に保存する制御データ保存ステップと、を備え、前記信号処理ステップは、電源投入に応じて前記信号処理制御データを前記制御データ保存手段から読み出し、前記信号処理制御データに応じて前記信号処理動作を実行することを特徴としている。
【００２２】
請求項１１に係る発明によれば、電源投入時に信号処理制御データが制御保存ステップにおいて出力されるので、信号処理ステップでは入力映像信号を信号処理制御データに応じて直ちに信号処理することができる。よって、映像信号の入力後、短時間で映像表示を行うことができる。
【００２３】
請求項１２に係る発明の映像表示方法は、入力端子に入力された映像信号の信号形式を判別する判別ステップと、前記判別ステップにおいて判別された信号形式を信号形式データとして信号形式データ保持手段に保存する信号形式データ保存ステップと、前記判別ステップにおいて判別された信号形式の映像信号用の信号処理制御データを生成する制御データ生成ステップと、前記映像信号を前記信号処理制御データに応じて信号処理動作を実行してその信号処理結果の映像信号を表示部に出力する信号処理ステップと、を備え、前記制御データ生成ステップは、電源投入に応じて前記信号形式データ保存手段から前記信号形式データを読み出し、その読み出した信号形式データが示す信号形式の映像信号用の信号処理制御データを生成し、前記信号処理ステップは、前記信号処理制御データに応じて前記信号処理動作を実行することを特徴としている。
【００２４】
請求項１２に係る発明によれば、電源投入時に信号形式データ保存手段から信号形式データ信号が読み出され、更に、その信号形式データが示す信号形式の映像信号用の信号処理制御データが生成されるので、信号処理ステップでは入力映像信号を信号処理制御データに応じて直ちに信号処理することができる。よって、映像信号の入力後、短時間で映像表示を行うことができる。
【発明を実施するための最良の形態】
【００２５】
以下、本発明の実施例を図面を参照しつつ詳細に説明する。
【００２６】
図１は本発明による映像表示装置を示している。この映像表示装置は、入力信号選択部１、同期処理部２、信号処理部３、制御部４、操作部５及び表示部（モニタ）６を備えている。制御部４は更に、切換制御部１１、信号判別部１２、信号形式データ保存部１３、信号処理制御データ生成部１４、信号処理制御データ保存部１５及び信号処理制御データ転送部１６を備えている。
【００２７】
入力信号選択部１は、複数の映像信号を個別に受け入れる複数の入力端子１ａ〜１ｅを有している。複数の映像信号としては例えば、コンポジット信号、ＲＧＢ映像信号及びコンポーネント映像信号が入力端子１ａ〜１ｅのいずれかに供給される。入力信号選択部１は、切換制御部３から供給される切換制御信号に応じて複数の入力端子１ａ〜１ｅのうちの１の入力端子を選択する。すなわち、複数の入力映像信号のうちの１の映像信号を選択的に出力する。
【００２８】
同期処理部２は、入力信号選択部１から選択出力された映像信号をクランプ調整して信号処理部３に中継供給すると共にその映像信号の同期信号を検出する。信号処理部３は、図２に示すように、Ａ／Ｄ変換器３１とフォーマット変換及び画質調整部３２からなる。Ａ／Ｄ変換器３１は入力映像信号がアナログ映像信号である場合にそのアナログ映像信号をディジタル映像信号に変換する。入力映像信号がディジタル映像信号である場合にディジタル映像信号はそのままフォーマット変換及び画質調整部３２に供給される。フォーマット変換及び画質調整部３２はＡ／Ｄ変換器３１から出力されるディジタル映像信号を特定形式の映像信号（例えば、ＲＧＢ映像信号）にフォーマット変換し、変換後の映像信号の画質調整を行う。フォーマット変換としてはＩＰ変換（インターレース−プログレッシブ変換）及び変倍処理がある。画質調整としては逆ガンマ変換、コントラスト調整、ブライト調整がある。
【００２９】
制御部４には入力信号選択部１、同期処理部２、信号処理部３及び操作部５が接続されている。操作部５は入力信号選択部１の複数の入力端子１ａ〜１ｅを選択的に指定する複数のボタン（図示せず）を有し、その複数のボタンのいずれか１を操作することが切換操作となる。よって、複数のボタンは入力信号選択部１の複数の入力端子１ａ〜１ｅに対応している。なお、１のボタンを操作する毎に複数の入力端子１ａ〜１ｅのうちの１の入力端子を所定の順番に指定する構成であれば、切換操作のためのボタンは１つでも良い。
【００３０】
切換制御部１１は操作部５の切換操作に応答して入力信号選択部１に対して切換制御信号を出力する。切換制御信号は選択すべき入力端子、すなわち入力映像信号の信号フォーマットを示している。信号判定部１２は、同期処理部２からから供給される同期信号のレベルに応じて選択中の映像信号の種類、すなわち信号フォーマットを判別する。信号判定部１２は、判別した信号フォーマットを示す信号形式データを信号形式データ保存部１３及び信号処理制御データ生成部１４に供給する。信号形式データ保存部１３は信号判定部１２から供給される信号形式データを保存する。また、信号形式データ保存部１３は操作部５の切換操作に応答して保存している信号形式データを選択的に信号判定部１２に供給する。
【００３１】
信号処理制御データ生成部１４は信号判定部１２から供給される信号形式データに応じて信号処理制御データを作成し、その信号処理制御データを信号処理制御データ保存部１５及び信号処理制御データ転送部１６に供給する。信号処理制御データは、信号処理部３におけるＩＰ変換、変倍処理等のフォーマット変換、並びに逆ガンマ変換、コントラスト調整、ブライト調整等の画質調整のための制御データである。信号処理制御データ保存部１５は信号処理制御データ生成部１４から供給される信号処理制御データを保存する。その信号処理制御データは操作部５の切換操作によって指定された入力端子に対応して保存される。すなわち、入力映像信号の信号フォーマットに対応して信号処理制御データは保存される。また、信号処理制御データ保存部１５は操作部５の切換操作に応答して信号処理制御データを選択的に読み出して信号処理制御データ転送部１６に供給する。信号処理制御データ転送部１６は信号処理制御データ生成部１４又は信号処理制御データ保存部１５から供給される信号処理制御データを信号処理部３に転送する。
【００３２】
表示部６は、液晶表示パネル等の表示器を有し、信号処理部３から出力される映像信号に応じた映像を表示器に表示する。
【００３３】
かかる映像表示装置においては、入力映像信号を切り換えるためにはユーザによる操作部５に対する切換操作が行われる。切換操作が行われると、図３に示すように、制御部５の指令により直ちに表示部５の画面ミュートが行われる（ステップＳ１）。
【００３４】
切換制御部１１は操作部５の切換操作に応じて入力信号選択部１に対して切換制御信号を出力する（ステップＳ２）。切換制御信号は入力信号選択部１に供給され、切換制御信号が示す入力端子の映像信号が入力信号選択部１から選択的に出力される（ステップＳ３）。入力信号選択部１から出力された映像信号は同期処理部２に供給されて同期処理が行われる（ステップＳ４）。すなわち、映像信号はクランプ調整されて信号処理部３に中継供給されると共にその映像信号の同期信号が検出される。
【００３５】
このステップＳ２〜Ｓ４の動作と並行したステップＳ５，Ｓ６の動作が次のように行われる。信号処理制御データ保存部１５は操作部５の切換操作によって指定された入力端子に対応する信号処理制御データを読み出し、信号形式データ保存部１３は操作部５の切換操作によって指定された入力端子に対応する信号形式データを読み出す（ステップＳ５）。読み出された信号処理制御データは信号処理制御データ転送部１６に供給され、読み出された信号形式データは信号判別部１２に供給される。信号処理制御データ転送部１６はその供給された信号処理制御データを信号処理部３に転送する（ステップＳ６）。
【００３６】
信号処理部３は信号処理制御データに応じて映像信号の信号処理を開始し、表示部５の画面ミュートが解除されて出画となる（ステップＳ７）。すなわち、同期処理部２から供給された映像信号が保持されている信号処理制御データに応じて信号処理部３において信号処理され、その信号処理結果の映像信号が表示部５に供給され、その映像信号に応じた映像が表示される。
【００３７】
その後、同期処理部２から供給された同期信号に応じて信号判別部１２が入力映像信号の信号フォーマットを判別し（ステップＳ８）、その判別結果の信号形式データと信号形式データ保存部１３から読み出された信号形式データとが比較される（ステップＳ９）。この比較結果が一致する場合は、入力信号選択部１によって選択された映像信号の信号フォーマットが信号形式データ保存部１３から読み出された信号形式データが示す信号フォーマットと一致することを意味する。この場合には、表示が継続される（ステップＳ１０）。
【００３８】
一方、比較結果が一致しない場合には、信号処理制御データ生成部１４は信号判定部１２から新たに供給された信号形式データに応じて信号処理制御データを作成する（ステップＳ１１）。その信号処理制御データは信号処理制御データ転送部１６を介して信号処理部３に転送される（ステップＳ１２）。よって、信号処理部３は新たな信号処理制御データに応じて映像信号の信号処理を行うので、入力信号選択部１によって選択された映像信号の信号フォーマットに対応した正常な映像表示に切り換えられる。
【００３９】
なお、ステップＳ１１においては信号形式データ保存部１３には信号判別部１２によって判別された信号形式が操作部５によって指定された入力端子との対応関係を付けて信号形式データとして保存される。また、ステップＳ１２においては、信号処理制御データは信号処理制御データ保存部１５に供給され、信号処理制御データ保存部１５にはその信号処理制御データは操作部５によって指定された入力端子との対応関係を付けて保存される。
【００４０】
更に、ステップＳ１０又はＳ１２の実行後、ステップＳ８に戻ってステップＳ８以降を繰り返し実行しても良い。
【００４１】
かかる本発明による映像表示装置においては、ユーザによる操作部５に対する切換操作が行われた後、直ちに信号処理制御データ保存部１５からの信号処理制御データが信号処理部３に転送され、それに並行して入力信号選択部１による選択動作及び同期処理部２による同期処理が実行されるので、切換操作後、短時間で映像表示を行うことができる。特に、各入力端子に供給される映像信号の信号形式が固定されている場合には正常な映像表示が切換操作後、問題なく短時間で行われる。その映像表示が入力信号選択部１によって選択される映像信号の信号フォーマットに対応していない場合には、やがて正常な映像表示に自動的に切り換えられる。また、信号処理回路は１系統で済むので、低コストで映像表示切換の際の時間短縮化を実現することができる。
【００４２】
図４(a)は信号処理制御データ保存部１５を使用せずに、信号判定部１２から供給された信号形式データに応じて信号処理制御データ生成部１４が信号処理制御データを作成してそれを信号処理部３に転送する場合の各動作に要する時間を示している。この合計時間、すなわち、操作部５に対する切換操作が行われてから映像表示が行われるまでの時間は、約２秒である。図４(b)は信号処理制御データ保存部１５を使用して信号処理制御データ保存部１５から供給された信号処理制御データを信号処理部３に転送する場合の各動作に要する時間を示している。この場合の操作部５に対する切換操作が行われてから映像表示が行われるまでの時間は、約０．５秒である。
【００４３】
図１の映像表示装置においては、入力信号選択部１が設けられているが、入力信号選択部１を特に設けないで、単一の入力端子にて映像信号を受け入れる装置にも本発明を適用することができる。例えば、図５に示すように、装置の電源スイッチ（図示せず）のオン操作によって電源が装置に投入されると、映像信号に対して同期処理部２が同期検出を含む同期処理を行い、同時に信号処理制御データ保存部１５から出力される信号処理制御データを信号処理制御データ転送部１６が信号処理制御データを信号処理部３に転送することが行われる。前記同期処理により同期信号が検出され、かつ信号処理データが信号処理部３に転送されると映像表示が行なわれる。この場合も図６に示すように、電源スイッチのオン操作が行われてから映像表示が行われるまでの時間は、約０．５秒である。
【００４４】
図７は、更に、本発明の実施例として映像表示装置を示している。この映像表示装置では、制御部４は切換制御部１１、信号判定部１２、信号形式データ保存部１３、信号処理制御データ生成部１４、及び信号処理制御データ転送部１６を備えている。すなわち、図１の装置の信号処理制御データ保存部１５は備えられていないが、その他の構成は図１の装置と同一である。
【００４５】
図７の映像表示装置においては、入力映像信号を切り換えるためにユーザによる操作部５に対する切換操作が行われると、図８に示すように、制御部５の指令により直ちに表示部５の画面ミュートが行われる（ステップＳ２１）。
【００４６】
切換制御部１１は操作部５の切換操作に応じて入力信号選択部１に対して切換制御信号を出力する（ステップＳ２２）。切換制御信号は入力信号選択部１に供給され、切換制御信号が示す入力端子の映像信号が入力信号選択部１から選択的に出力される（ステップＳ２３）。入力信号選択部１から出力された映像信号は同期処理部２に供給されて同期処理が行われる（ステップＳ２４）。ステップＳ２１〜２４は、図３のステップＳ１〜Ｓ４と同一である。
【００４７】
このステップＳ２２〜Ｓ２４の動作と並行したステップＳ２５〜Ｓ２７の動作が次のように行われる。信号形式データ保存部１３は操作部５の切換操作によって指定された入力端子に対応する信号形式データを読み出す（ステップＳ２５）。読み出された信号形式データは信号判別部１２及び信号処理制御データ生成部１４に供給され、信号処理制御データ生成部１４はその供給された信号形式データに応じて信号処理制御データを生成する（ステップＳ２６）。生成された信号処理制御データは信号処理制御データ転送部１６に供給され、信号処理制御データ転送部１６はその供給された信号処理制御データを信号処理部３に転送する（ステップＳ２７）。
【００４８】
信号処理部３は信号処理制御データに応じて映像信号の信号処理を開始し、表示部５の画面ミュートが解除されて出画となる（ステップＳ２８）。すなわち、同期処理部２から供給された映像信号が保存されている信号処理制御データに応じて信号処理部３において信号処理され、その信号処理結果の映像信号が表示部５に供給され、その映像信号に応じた映像が表示される。
【００４９】
その後、ステップＳ２９以降の動作が実行される。ステップＳ２９〜Ｓ３３は図３のステップＳ８〜Ｓ１２と同一である。
【００５０】
なお、ステップＳ３２においては信号形式データ保存部１３には信号判別部１２によって判別された信号形式が操作部５によって指定された入力端子との対応関係を付けて信号形式データとして保存される。また、ステップＳ３１又はＳ３３の実行後、ステップＳ２９に戻ってステップＳ２９以降を繰り返し実行しても良い。
【００５１】
かかる本発明による映像表示装置においては、ユーザによる操作部５に対する切換操作が行われた後、直ちに、信号処理制御データ生成部１４による信号処理制御データ生成動作が開始され、それと並行して入力信号選択部１による選択動作及び同期処理部２による同期処理が実行されるので、切換操作後、短時間で映像表示を行うことができる。その映像表示が入力信号選択部１によって選択される映像信号の信号フォーマットに対応していない場合には、やがて正常な映像表示に自動的に切り換えられる。
【００５２】
図９は、図７の映像表示装置において信号形式データ保存部１３から得られる信号形式データに応じて信号処理制御データを生成してそれを信号処理部３に転送する場合の各動作に要する時間を示している。この場合の操作部５に対する切換操作が行われてから映像表示が行われるまでの時間は、約１．１秒である。
【００５３】
図７の映像表示装置においては、入力信号選択部１が設けられているが、入力信号選択部１を特に設けないで、単一の入力端子にて映像信号を受け入れる装置にも本発明を適用することができる。例えば、図１０に示すように、装置の電源スイッチ（図示せず）のオン操作によって電源が装置に投入されると、映像信号に対して同期処理部２が同期検出を含む同期処理を行い、同時に信号形式データ保存部１３から得られる信号形式データに応じて信号処理制御データを生成してそれを信号処理制御データ転送部１６によって信号処理部３に転送することが行われる。前記同期処理により同期信号が検出され、かつ信号処理データが信号処理部３に転送されると映像表示が行なわれる。この場合も図１１に示すように、電源スイッチのオン操作が行われてから映像表示が行われるまでの時間は、約１．１秒である。
【００５４】
図１２は、本発明を２系統の信号処理を有する映像表示装置に適用した場合の構成を示している。この映像表示装置は、入力信号選択部１、同期処理部２ａ，２ｂ、信号処理部３、制御部４、操作部５及び表示部６を備えている。信号処理部３は、主画面処理部３ａ、副画面処理部３ｂ、及び主副画面合成部７を備えている。同期処理部２ａ及び主画面処理部３ａは第１信号処理系であり、同期処理部２ｂ及び主画面処理部３ｂは第２信号処理系である。入力信号選択部１は、複数の入力映像信号のうちの１の映像信号を第１信号処理系に選択的に供給し、複数の入力映像信号のうちの上記の１の映像信号又は他の映像信号を第２信号処理系に選択的に供給する。同期処理部２ａ，２ｂ各々の動作は図１の同期処理部２と同一である。主画面処理部３ａ及び副画面処理部３ｂ各々の動作は図１の信号処理部３と同一である。主副画面合成部７は主画面処理部３ａ及び副画面処理部３ｂから出力される信号処理後の映像信号を合成するか或いはいずれか一方のみを出力する。
【００５５】
制御部４は図１に示した構成と同様に、切換制御部１１、信号判定部１２、信号形式データ保存部１３、信号処理制御データ生成部１４、信号処理制御データ保存部１５及び信号処理制御データ転送部１６を備えている。信号処理制御データは主画面処理部３ａ及び副画面処理部３ｂの双方又はいずれか一方に選択的に転送される。
【００５６】
第１信号処理系への入力映像信号を切り換えるためにはユーザによる操作部５に対する切換操作が行われると、切換制御部１１は操作部５の切換操作に応じて入力信号選択部１に対して切換制御信号を出力し、切換制御信号が示す入力端子の映像信号が入力信号選択部１から選択的に同期処理部２ａに出力される。信号処理制御データ保存部１５は操作部５の切換操作によって指定された入力端子に対応する信号処理制御データを読み出し、読み出された信号処理制御データは信号処理制御データ転送部１６を介して主画面処理部３ａに転送される。同様に、第２信号処理系への入力映像信号を切り換えるためにはユーザによる操作部５に対する切換操作が行われると、切換制御部１１は操作部５の切換操作に応じて入力信号選択部１に対して切換制御信号を出力し、切換制御信号が示す入力端子の映像信号が入力信号選択部１から選択的に同期処理部２ｂに出力される。信号処理制御データ保存部１５は操作部５の切換操作によって指定された入力端子に対応する信号処理制御データを読み出し、読み出された信号処理制御データは信号処理制御データ転送部１６を介して副画面処理部３ｂに転送される。
【００５７】
図１２の映像表示装置においては、第１信号処理系からの映像信号に基づいた主映像と第２信号処理系からの映像信号に基づいた副映像とを同時に表示するいわゆる２画面表示の場合に、操作部５の切換操作によって第１信号処理系への入力映像信号を切り換えると、その後、短時間で２画面のうちの主映像を切換表示をすることができ、また、第２信号処理系への入力映像信号を切り換えると、その後、短時間で２画面のうちの副映像を切換表示をすることができる。
【００５８】
なお、図１２は、図１に示した制御部を２系統の信号処理を有する映像表示装置に適用した例を示したが、図７に示した制御部を２系統の信号処理を有する映像表示装置に適用することもできる。
【００５９】
また、図４(a)、図４(b)、図６、図９及び図１１各々において、各動作に要する時間は一例として示されており、示された時間値に限定されない。
【００６０】
以上の如く、本発明によれば、比較的低コストで映像を短時間で切り換え表示することができる。
【図面の簡単な説明】
【００６１】
【図１】本発明の実施例を示すブロック図である。
【図２】図１の装置中の信号処理部の具体的構成を示すブロック図である。
【図３】図１の装置の切換操作時の動作を示すフローチャートである。
【図４】図１の装置の切換操作時の各動作に要する時間を示す図である。
【図５】図１の装置を単一の入力端子にした場合の電源オン操作時の動作を示すフローチャートである。
【図６】図５の電源オン操作時の各動作に要する時間を示す図である。
【図７】本発明の実施例を示すブロック図である。
【図８】図７の装置の切換操作時の動作を示すフローチャートである。
【図９】図７の装置の切換操作時の各動作に要する時間を示す図である。
【図１０】図７の装置を単一の入力端子にした場合の電源オン操作時の動作を示すフローチャートである。
【図１１】図１０の電源オン操作時の各動作に要する時間を示す図である。
【図１２】本発明を適用した２系統の信号処理を有する映像表示装置を示すブロック図である。
【符号の説明】
【００６２】
１  入力信号選択部
２，２ａ，２ｂ  同期処理部
３  信号処理部
４  制御部
５  操作部
１１  切換制御部
１２  信号判別部
１３  信号形式データ保存部
１４  信号処理制御データ生成部
１５  信号処理制御データ保存部
【図１】
2007248589.tif 000003
【図２】
2007248589.tif 000004
【図３】
2007248589.tif 000005
【図４】
2007248589.tif 000006
【図５】
2007248589.tif 000007
【図６】
2007248589.tif 000008
【図７】
2007248589.tif 000009
【図８】
2007248589.tif 000010
【図９】
2007248589.tif 000011
【図１０】
2007248589.tif 000012
【図１１】
2007248589.tif 000013
【図１２】
2007248589.tif 000014